(57)【特許請求の範囲】
【請求項１】
ソケットハウジングと、
前記ソケットハウジングと結合され外部から提供されたランプと電気的に連結され、該ランプの離脱を防止する離脱防止部を含む第１ランプ接続端子及び該第１ランプ接続端子と対向し、前記離脱防止部を挿入することができる挿入ホールを有する第２ランプ接続端子を含む電源印加部材と、を具備し、
前記ソケットハウジングには、前記電源印加部材が結合される接続ホール及び該接続ホールに連結されるインバータ挿入ホールが形成され、
前記電源印加部材には、脱落防止のために接続ホールの壁面に向かって突出した弾性を有する突起が設けられ、前記離脱防止部は、直線形の形状又は曲げ形状を有する板状であり、前記挿入ホール側に延長されることを特徴とするランプソケット。
【請求項２】
前記ソケットハウジングには、前記ランプをガイドするランプガイド溝が形成されることを特徴とする請求項１記載のランプソケット。
【請求項３】
前記電源印加部材は、前記インバータ挿入ホールに露出されるインバータ接続端子を更に含むことを特徴とする請求項２記載のランプソケット。
【請求項４】
前記電源印加部材は、前記インバータ接続端子と前記第１及び第２ランプ接続端子とを連結させる連結部を更に含むことを特徴とする請求項３記載のランプソケット。
【請求項５】
前記第１及び第２ランプ接続端子のそれぞれは、
前記ランプの電極部を加圧して固定するランプ固定部と、
前記ランプ固定部から延長され前記接続ホールを定義する内側面に向かって傾斜するランプガイド部と、を含むことを特徴とする請求項４記載のランプソケット。
【請求項６】
底板及び該底板の周辺部に配置された側壁を含む収納容器と、
ランプ本体及び該ランプ本体の端部に形成された電極部を含み、前記底板に配置された複数のランプと、
ソケットハウジングと、該ソケットハウジングと結合され前記ランプと電気的に連結され、前記ランプの離脱を防止する離脱防止部を含む第１ランプ接続端子及び該第１ランプ接続端子と対向し、前記離脱防止部を挿入することができる挿入ホールを有する第２ランプ接続端子を含む電源印加部材と、を有する複数のランプソケットと、
前記底板の背面に配置されて前記電源印加部材にランプ駆動電圧を出力する電源供給基板と、を具備し、
前記ソケットハウジングには、前記電源印加部材が結合される接続ホール及び該接続ホールに連結されるインバータ挿入ホールが形成され、
前記離脱防止部は、前記第２ランプ接続端子に向かって突出され、前記第２ランプ接続端子は前記離脱防止部を収納する挿入ホールを含むことを特徴とするバックライトアセンブリ。
【請求項７】
前記ソケットハウジングには、前記ランプをガイドするランプガイド溝が形成されることを特徴とする請求項６記載のバックライトアセンブリ。
【請求項８】
前記電源印加部材は、前記インバータ挿入ホールに露出されて前記第１及び第２接続端子と一体に形成されたインバータ接続端子を更に含むことを特徴とする請求項７記載のバックライトアセンブリ。
【請求項９】
前記電源印加部材は、前記インバータ接続端子と前記第１及び第２ランプ接続端子とを連結させる連結部を更に含むことを特徴とする請求項８記載のバックライトアセンブリ。
【請求項１０】
前記第１及び第２ランプ接続端子のそれぞれは、
前記ランプの電極部を加圧して固定するランプ固定部と、
前記ランプ固定部から延長され前記接続ホールを定義する内側面に向かって傾斜するランプガイド部と、を含むことを特徴とする請求項９記載のバックライトアセンブリ。
【請求項１１】
複数の開口が形成された底板及び側壁を含む収納容器と、
ランプ本体及び該ランプ本体の端部に形成された電極部を含み、前記底板に配置された複数のランプと、
前記底板の背面に露出されたインバータ挿入ホール及び前記収納容器の内側に露出された接続ホールが形成され、前記各開口に挿入された複数のソケットハウジングと、
前記ランプの離脱を防止する離脱防止部を含む第１ランプ接続端子、該離脱防止部が挿入される挿入ホールを含む第２ランプ接続端子、及び前記インバータ挿入ホールに露出されるインバータ接続端子を含む電源印加部材と、
前記インバータ挿入ホールに一部が挿入されて前記インバータ接続端子にランプ駆動電圧を印加する電源供給基板と、
前記ソケットハウジングをカバーするサイドカバーと、
前記サイドカバーによって支持される光学シートと、
前記光学シート上に配置される表示パネルと、を具備し、
前記接続ホールは前記電源印加部材が結合され、
前記離脱防止部は、前記第２ランプ接続端子に向かって突出され、前記第２ランプ接続端子は前記離脱防止部を収納する挿入ホールを含むことを特徴とする表示装置。
【請求項１２】
前記ソケットハウジングには前記ランプをガイドするランプガイド溝が形成され、前記電源印加部材は前記インバータ挿入ホールに露出されて前記第１及び第２接続端子と一体に形成されたインバータ接続端子を更に含むことを特徴とする請求項１１記載の表示装置。
【請求項１３】
前記電源印加部材は、前記インバータ接続端子と前記第１及び第２ランプ接続端子とを連結させる連結部を更に含み、
前記第１及び第２ランプ接続端子のそれぞれは、
前記ランプの電極部を加圧して固定するランプ固定部と、
前記ランプ固定部から延長され前記接続ホールを定義する内側面に向かって傾斜するランプガイド部と、を含むことを特徴とする請求項１２記載の表示装置。
【請求項１４】
ソケットハウジング及び該ソケットハウジングと結合され外部から提供されたランプと電気的に連結され、前記ランプの離脱を防止する離脱防止部を含む第１ランプ接続端子及び前記第１ランプ接続端子と対向する第２ランプ接続端子を含む電源印加部材を具備するランプソケットのランプ接続端子の製造方法において、
ランプの離脱を防止する前記離脱防止部を含む第１ランプ接続端子を形成する段階と、
前記第１ランプ接続端子と離隔して前記ランプを収納するための前記離脱防止部を収納する開口部を有する第２ランプ接続端子を形成する段階を有し、
前記ソケットハウジングには、前記電源印加部材が結合される接続ホール及び前記接続ホールに連結されるインバータ挿入ホールが形成され、
前記離脱防止部は、前記第２ランプ接続端子に向かって突出され、前記第２ランプ接続端子は前記離脱防止部を収納する挿入ホールを含むことを特徴とするランプ接続端子の製造方法。
【発明の詳細な説明】
【技術分野】
【０００１】
本発明は、ランプソケットとこれを有するバックライトアセンブリ、及びこのバックライトアセンブリを有する表示装置、並びにランプ接続端子の製造方法に係り、より詳細には構成部品の個数を減少させて信頼性を向上させたランプソケットとこれを有するバックライトアセンブリ、及びこのバックライトアセンブリを有する表示装置、並びにランプソケットに用いるランプ接続端子の製造方法に関する。
【背景技術】
【０００２】
一般的に、液晶表示装置に採用されるバックライトアセンブリは、光源の配置によって直下型バックライトアセンブリとエッジ型バックライトアセンブリとに区分される。
【０００３】
バックライトアセンブリに使用される光源としては、冷陰極蛍光ランプ（ＣＣＦＬ）が代表的で、冷陰極蛍光ランプが採用された直下型バックライトアセンブリは収納容器の底板上にランプを固定するためにランプソケットを含み得る。複数個のランプを容易に組立てるために、ランプの電極部とランプソケットが締め付けられるバックライトアセンブリが開発されたことがある。
【０００４】
従来のランプソケットは、ソケットハウジング、電源印加部材、及びソケットカバーを含む。電源印加部材は、インバータとランプのリード線を電気的に連結させる。ランプソケットの組立工程では電源印加部材を、ソケットハウジングに形成されたホールに挿入し、電源印加部材の端子にランプのリード線を挿入した後、ソケットカバーをソケットハウジングに挿入してランプのリード線を固定する。
【０００５】
しかし、ランプソケット自体の構成部品数が多く、ランプを正位置に配置した後、ソケットカバーを締結させなければならないので、工程数が増加する。
【０００６】
又、ソケットカバーを取り除いた場合、電源印加部材でランプのリード線が容易に離脱するという問題点がある。
【０００７】
又、バックライトアセンブリの組立において、ランプに駆動電圧を供給するために、複数個のランプソケットとインバータを、ワイヤーを通じて半田付けするか、複数個のランプソケットの端子をインバータに半田付けしていた。
【０００８】
これにより、バックライトアセンブリの組立に時間が多く費やされ、半田付け工程でランプが損傷するケースが度々発生するという問題点がある。又、不良のインバータを交替する場合、ランプをランプソケットから全部分離させた後にインバータを交替しなければならないので、作業の効率性が低下するという問題点がある。
【発明の開示】
【発明が解決しようとする課題】
【０００９】
そこで、本発明は、上記従来の問題点に鑑みてなされたもので、本発明の目的は、構成部品の個数を減少させて信頼性を向上させたランプソケットを提供することにある。
【００１０】
本発明の他の目的は、前記ランプソケットを含んで、組立時間が短縮され、信頼性を向上させたバックライトアセンブリを提供することにある。
【００１１】
本発明の更に他の目的は、前記ランプソケットを含むバックライトアセンブリを有する表示装置を提供することにある。
【００１２】
本発明の更に他の目的は、前記ランプソケットに用いるランプ接続端子を製造する方法を提供することにある。
【課題を解決するための手段】
【００１３】
上記目的を達成するためになされた本発明の一特徴によるランプソケットは、ソケットハウジングと、前記ソケットハウジングと結合され外部から提供されたランプと電気的に連結され、該ランプの離脱を防止する離脱防止部を含む第１ランプ接続端子及び該第１ランプ接続端子と対向し、前記離脱防止部を挿入することができる挿入ホールを有する第２ランプ接続端子を含む電源印加部材と、を具備し、前記ソケットハウジングには、前記電源印加部材が結合される接続ホール及び該接続ホールに連結されるインバータ挿入ホールが形成され、前記電源印加部材には、脱落防止のために接続ホールの壁面に向かって突出した弾性を有する突起が設けられ、前記離脱防止部は、直線形の形状又は曲げ形状を有する板状であり、前記挿入ホール側に延長されることを特徴とする。
【００１４】
前記ソケットハウジングには、前記ランプをガイドするランプガイド溝が形成され得る。
前記電源印加部材は、前記インバータ挿入ホールに露出されるインバータ接続端子、及び前記インバータ接続端子と前記第１及び第２ランプ接続端子とを連結させる連結部を更に含むことができ、前記第１及び第２ランプ接続端子は、それぞれ前記ランプの電極部を加圧して固定するランプ固定部と、前記ランプ固定部から延長され前記接続ホールを定義する内側面に向かって傾斜するランプガイド部と、を含むことができる。
【００１５】
上記他の目的を達成するためになされた本発明の一特徴によるバックライトアセンブリは、底板及び該底板の周辺部に配置された側壁を含む収納容器と、ランプ本体及び該ランプ本体の端部に形成された電極部を含み、前記底板に配置された複数のランプと、ソケットハウジングと、該ソケットハウジングと結合され前記ランプと電気的に連結され、前記ランプの離脱を防止する離脱防止部を含む第１ランプ接続端子及び該第１ランプ接続端子と対向する第２ランプ接続端子を含む電源印加部材と、を有する複数のランプソケットと、前記底板の背面に配置されて前記電源印加部材にランプ駆動電圧を出力する電源供給基板と、を具備し、前記ソケットハウジングには、前記電源印加部材が結合される接続ホール及び該接続ホールに連結されるインバータ挿入ホールが形成され、前記離脱防止部は、前記第２ランプ接続端子に向かって突出され、前記第２ランプ接続端子は前記離脱防止部を収納する挿入ホールを含むことを特徴とする。
【００１６】
前記ソケットハウジングには、前記ランプをガイドするランプガイド溝が形成され得る。
前記電源印加部材は、前記インバータ挿入ホールに露出されるインバータ接続端子、及び前記インバータ接続端子と前記第１及び第２ランプ接続端子とを連結させる連結部を更に含むことができ、前記第１及び第２ランプ接続端子は、それぞれランプ固定部とランプガイド部とを含むことができる。
【００１７】
上記更に他の目的を実現するためになされた本発明の一特徴による表示装置は、複数の開口が形成された底板及び側壁を含む収納容器と、ランプ本体及び該ランプ本体の端部に形成された電極部を含み、前記底板に配置された複数のランプと、前記底板の背面に露出されたインバータ挿入ホール及び前記収納容器の内側に露出された接続ホールが形成され、前記各開口に挿入された複数のソケットハウジングと、前記ランプの離脱を防止する離脱防止部を含む第１ランプ接続端子、該離脱防止部が挿入される挿入ホールを含む第２ランプ接続端子、及び前記インバータ挿入ホールに露出されるインバータ接続端子を含む電源印加部材と、前記インバータ挿入ホールに一部が挿入されて前記インバータ接続端子にランプ駆動電圧を印加する電源供給基板と、前記ソケットハウジングをカバーするサイドカバーと、前記サイドカバーによって支持される光学シートと、前記光学シート上に配置される表示パネルと、を具備し、前記接続ホールは前記電源印加部材が結合され、前記離脱防止部は、前記第２ランプ接続端子に向かって突出され、前記第２ランプ接続端子は前記離脱防止部を収納する挿入ホールを含むことを特徴とする。
【００１９】
上記更に他の目的を達成するためになされた本発明の一特徴によるランプ接続端子の製造方法は、ソケットハウジング及び該ソケットハウジングと結合され外部から提供されたランプと電気的に連結され、前記ランプの離脱を防止する離脱防止部を含む第１ランプ接続端子及び前記第１ランプ接続端子と対向する第２ランプ接続端子を含む電源印加部材を具備するランプソケットのランプ接続端子の製造方法において、ランプの離脱を防止する前記離脱防止部を含む第１ランプ接続端子を形成する段階と、前記第１ランプ接続端子と離隔して前記ランプを収納するための前記離脱防止部を収納する開口部を有する第２ランプ接続端子を形成する段階を有し、前記ソケットハウジングには、前記電源印加部材が結合される接続ホール及び前記接続ホールに連結されるインバータ挿入ホールが形成され、前記離脱防止部は、前記第２ランプ接続端子に向かって突出され、前記第２ランプ接続端子は前記離脱防止部を収納する挿入ホールを含むことを特徴とする。
【発明の効果】
【００２０】
このような、本発明のランプソケットとこれを有するバックライトアセンブリ、及びバックライトアセンブリを有する表示装置、並びにランプ接続端子の製造方法によれば、ランプソケットの構成部品の個数、及びランプをランプソケットに組立する工程数が減少し、ランプソケットとランプ及び電源供給ユニット間のワイヤリング、及び半田付け工程が省略され、バックライトアセンブリ及び表示装置の組立性が向上し、電源供給基板をより容易にリワークすることができる。又、従来、ソケットカバーを取り除いた場合に発生する可能性があったランプ離脱を防止することができる。
【００２１】
さらに、本発明によれば、ランプソケットはソケットカバーが削除され、２つの部品、即ち、ソケットハウジング及び電源印加部材で構成される。従って、ランプソケット、これを用いた電源印加モジュール、バックライトアセンブリ、及び表示装置の構成部品の個数が減少する。又、電源印加部材の第１ランプ接続端子及び第２ランプ接続端子はそれぞれランプ離脱防止部と離脱防止部が挿入される挿入ホールを含んでいる。従って、外部衝撃が加わった場合に発生する可能性があるランプの離脱を防止することができる。
【発明を実施するための最良の形態】
【００２２】
以下、本発明のランプソケットとこれを有するバックライトアセンブリ、及びこのバックライトアセンブリを有する表示装置、並びにランプ接続端子の製造方法を実施するための最良の形態の具体例を、図面を参照しながら詳細に説明する。
＜ランプソケット＞
【００２３】
図１は、本発明の一実施例によるランプソケットの斜視図である。
【００２４】
図１を参照すると、ランプソケット２０は、ソケットハウジング３０及び電源印加部材４０を含む。ランプソケット２０は、表示装置で背面光を提供するランプを収納容器に固定し、ランプにランプ駆動電圧を印加する。
【００２５】
ソケットハウジング３０は立体形状のモールド物で、ソケットハウジング３０の上部には接続ホール３５が形成されている。ソケットハウジング３０の下部には、接続ホール３５と連結されたインバータ挿入ホール３１が更に形成され得る。具体的に、インバータ挿入ホール３１はソケットハウジング３０の下部に形成されており、接続ホール３５はソケットハウジング３０の上面側に開口されている。ソケットハウジング３０の外側面の周りには他の部品との結合時にキャッチングジョーとなるキャッチング突起３９が突出されている。ソケットハウジング３０の上面にはランプの形状に沿ってラウンドされたランプガイド溝３７が形成されており、ランプをガイドして支持する。
【００２６】
図２は、図１に示したランプソケットの分解斜視図である。電源印加部材４０は、接続ホール３５を通じてソケットハウジング３０に結合されている。電源印加部材４０は導電性を有するメタルからなり、インバータとランプの電極部を電気的に連結させる。電源印加部材４０は、第１ランプ接続端子４１及び第２ランプ接続端子４５を含む。第１ランプ接続端子４１は、図３に示すように、ランプと結合した後、ランプの離脱を防止する離脱防止部５０を含み、第２ランプ接続端子４５は離脱防止部５０を挿入することができる挿入ホール６０を含む。電源印加部材４０は、第１ランプ接続端子４１及び第２ランプ接続端子４５と一体に形成されたインバータ接続端子４８を更に含むことができる。インバータ接続端子４８はインバータ挿入ホール３１に露出され、第１ランプ接続端子４１及び第２ランプ接続端子４５は接続ホール３５に露出される。なお、電源印加部材４０には、ソケットハウジング３０との結合を強化して抜けを防止するための弾性を有する突起４４を形成することもできる。
【００２７】
図３は、直線形状の離脱防止部を有する電源印加部材に関する一実施例を示す斜視図である。図３を参照すると、電源印加部材４０は、インバータ接続端子４８と第１ランプ接続端子４１及び第２ランプ接続端子４５と一体に形成された連結部４９を更に含む。プレート形状の連結部４９は、インバータ接続端子４８と第１ランプ接続端子４１及び第２ランプ接続端子４５を連結する。
【００２８】
第２ランプ接続端子４５は、ランプと結合した以後ランプの離脱を防止する離脱防止部５０を含み、第１ランプ接続端子４１は離脱防止部５０を挿入することができる挿入ホール６０を含む。
【００２９】
第２ランプ接続端子４５の離脱防止部５０は、第１ランプ接続端子４１の挿入ホール６０に挿入できる形状であれば、いかなる形状でも良い。図３及び図５において、離脱防止部５０は直線形の形状を有する。他の実施例において、図４及び図６で離脱防止部５０は曲げ形の形状を有することもできる。このような形状は、ランプを電源印加部材４０に結合させる時には力の方向に沿って自然に結合し、結合後には離脱防止部５０に引っかかることになって、逆方向に離脱できなくする。
【００３０】
第１及び第２ランプ接続端子４１、４５は、第１及び第２固定部４６、４２及び第１及び第２ガイド部４７、４３を含む。第１及び第２固定部４６、４２は互いに対向して連結部４９から延長され、その弾性力によりランプの電極部を加圧して固定する。第１及び第２ガイド部４７、４３は互いに対向し、それぞれ第１及び第２固定部４６、４２から延長され前記接続ホール３５を定義する内側面に向かって傾斜する。第１及び第２ガイド部４７、４３は、接続ホール３５の上部から下部に向かう方向に加わった力を左右方向に転換させることができる。
【００３１】
図４は、曲げ形の形状を有する離脱防止部を有する電源印加部材に関する他の実施例を示す斜視図である。図４において、離脱防止部５０ａの形状は曲げ形である。
【００３２】
図５は、図３に示した電源印加部材４０を示す正面図である。図５において、離脱防止部５０は直線形状に挿入ホール６０の内部に延長される。
【００３３】
図６は、図４に示した電源印加部材４０を示す正面図である。図６において、離脱防止部５０ａは曲げ形状を有して挿入ホール６０側に延長される。他の実施例において、離脱防止部５０ａが挿入ホール６０を通過して延長されるようにすることもできる。離脱防止部５０ａは、図３及び図５に示した離脱防止部５０と異なり、曲げ形の形状を有する。このような形状は、ランプを電源印加部材４０に結合させる時には力の方向に沿って自然に結合し、結合以後には離脱防止部５０に引っかかることになって、逆方向に離脱できなくする。
【００３４】
図７は、図２に示したランプソケットをＩ−Ｉ’に沿って切断した断面図である。
【００３５】
本実施例において、インバータ接続端子４８は、支持部４８ａ及び電源入力部４８ｂを含む。支持部４８ａは、図７に示すように、連結部４９からインバータ挿入ホール３１の基底面及び下側の内側面に沿って延長される。電源入力部４８ｂは、支持部４８ａの端部から折り曲げられて支持部４８ａとオーバーラップする。電源入力部４８ｂは、インバータ挿入ホール３１の内側面に対して凸形状に形成される。従って、外力が加わることにより、電源入力部４８ｂは弾性的に変形されてフラットになり、除去されることによって、原状回復される。
【００３６】
図７において、インバータ接続端子４８は、インバータ挿入ホール３１に挿入される電源供給基板の電源出力端子に物理的に接触して電気的に連結される。インバータ接続端子４８は多様な形状を有することができる。例えば、インバータ接続端子４８が板スプリングのようなスプリング形状を有して、インバータ接続端子４８を外部端子と強く結合させることもできる。
＜電源印加モジュール＞
【００３７】
図８は、本発明の一実施例による電源印加モジュールの斜視図である。図９は、図８に示した電源印加モジュールの分解斜視図であり、図１０は、図８に示した電源印加モジュールをＩＩ−ＩＩ’に沿って切断した断面図である。
【００３８】
図８、図９、及び図１０を参照すると、電源印加モジュール２００は、複数のランプと結合することができるように連結プレート２６０、複数のソケットハウジング２３０及び複数の電源印加部材２４０を含む。
【００３９】
連結プレート２６０は、一方向に長く延長されたプレート形状を有する。連結プレート２６０には、複数のソケット固定部２６５が一定の間隔で形成される。ソケット固定部２６５は、連結プレート２６０に形成された開口を有する。
【００４０】
ソケットハウジング２３０は、図１、図２、及び図７に示したソケットハウジング３０と実質的に同じである。
【００４１】
電源印加部材２４０は、図１乃至図７に示した電源印加部材４０と実質的に同じである。電源印加部材２４０と結合された各ソケットハウジング２３０は各ソケット固定部２６５の開口に挿入される。ソケットハウジング２３０に形成されたインバータ挿入ホール２３１は、連結プレート２６０の下面に露出される。ソケットハウジング２３０に形成された接続ホール２３５は連結プレート２６０の上面に露出される。
＜バックライトアセンブリ＞
【００４２】
図１１は、本発明の一実施例によるバックライトアセンブリの分解斜視図であり、図１２は、図１１に示したバックライトアセンブリをＩＩＩ−ＩＩＩ’に沿って切断した断面図である。
【００４３】
図１１及び図１２を参照すると、バックライトアセンブリ４００は、収納容器４１０、複数のランプソケット４２０、複数のランプ４５０、及び電源供給基板４７０を含む。
【００４４】
収納容器４１０は、底板４０５、底板４０５の周辺部に配置された第１側壁４１１、第２側壁４１３、第３側壁４１５、及び第４側壁４１７を含む。第１側壁４１１及び第２側壁４１３は互いに対向して配置される。第３側壁４１５及び第４側壁４１７は互いに対向して配置され、第１側壁４１１及び第２側壁４１３にそれぞれ連結される。第１側壁４１１、第２側壁４１３、第３側壁４１５、及び第４側壁４１７の上端には段差部が形成される。第１側壁４１１及び第２側壁４１３の近い場所の底板４０５には多数の開口４０７が形成される。
【００４５】
ランプソケット４２０は、図１、図２及び図７に示したランプソケット２０と実質的に同じであり、電源印加部材４４０も図３及び図５に示した電源印加部材４０と実質的に同じである。これとは異なり、電源印加部材４４０は、図４及び図６に示した電源印加部材４０と実質的に同じであり得る。
【００４６】
ランプ４５０は、ランプ本体４５１及び電極部４５５を含む。ランプ本体４５１は直管形状を有して、内部に注入されたアルゴン及び水銀のような放電ガスを含む。ランプ本体４５１の端部には電極部４５５が配置される。電極部４５５は、放電電極及びリード線を含む。放電電極はランプ本体４５１の内部に配置され、リード線は放電電極からランプ本体４５１の外部に延長される。他の実施例において、ランプ４５０は外部電極蛍光ランプ（ＥＥＦＬ）でも良い。
【００４７】
バックライトアセンブリ４００は、連結プレート４６０を更に含むことができる。連結プレート４６０は、図８、図９、及び図１０に示した連結プレート２６０と同じである。各ランプソケット４２０は、連結プレート４６０に形成された開口にそれぞれ挿入される。連結プレート４６０は、それぞれ第１側壁４１１及び第２側壁４１３の近い場所に配置される。連結プレート４６０に挿入された複数のランプソケット４２０は底板４０５に形成された複数の開口４０７にそれぞれ挿入される。この際、インバータ挿入ホールは底板４０５の背面に露出され、接続ホールは収納容器４１０の内側に露出される。
【００４８】
バックライトアセンブリ４００は、反射板４０９を更に含むことができる。反射板４０９は、収納容器４１０の底板４０５に配置されてランプ４５０が出射した光を上部に反射する。
【００４９】
電源供給基板４７０は底板４０５の背面に配置され、ランプ駆動電圧を出力する。電源供給基板４７０は、印刷回路基板及び印刷回路基板に実装された電源供給素子を含むことができる。
【００５０】
電源供給基板４７０の一側エッジは、ランプソケット４２０のインバータ挿入ホールにそれぞれ挿入される。電源供給基板４７０の一側エッジのうち、インバータ挿入ホールに対応する部分はそれぞれインバータ挿入ホールに向かって突出する。これにより、一側エッジは凸凹形状を有する。
【００５１】
一側エッジの突出する部分には、それぞれ電源出力端子が形成される。電源出力端子は、例えば、印刷回路基板に形成された導電配線の一部４７３が表面に露出されて形成されるようにすることができる。
【００５２】
バックライトアセンブリ４００は、電源供給基板４７０を保護して電磁波の流入及び流出を遮断する保護ケース４７５を更に含むことができる。
【００５３】
バックライトアセンブリ４００は、サイドカバー４８０を更に含むことができる。
【００５４】
各サイドカバー４８０は、第１側壁４１１側及び第２側壁４１３側にそれぞれ配置されたランプソケット４２０をカバーして保護する。
＜表示装置＞
【００５５】
図１４は、本発明の一実施例による表示装置の分解斜視図であり、図１５は、図１４に示した表示装置をＶ−Ｖ’に沿って切断した断面図である。
【００５６】
図１４及び図１５を参照すると、表示装置６００は、収納容器６１０、複数のランプソケット６２０、複数のランプ６５０、連結プレート６６０、電源供給基板６７０、サイドカバー６８０、光学シート７１０、及び表示パネル７５０を含む。
【００５７】
収納容器６１０、複数のランプソケット６２０、連結プレート６６０、複数のランプ６５０、電源供給基板６７０、サイドカバー６８０は、図１１、図１２及び図１３に示したサイドカバー４８０と実質的に同じである。
【００５８】
光学シート７１０は、ランプ６５０から出射された光の光学特性を向上させて出射する。光学シート７１０は、順次に積層された拡散板７１１、拡散シート７１３、及び集光シート７１５を含むことができる。拡散板７１１、拡散シート７１３、及び集光シート７１５は、第３側壁６１５、第４側壁６１７、及びサイドカバー６８０に形成された段差部によって支持される。
【００５９】
拡散板７１１は、ランプ６５０から出射された光を拡散させて輝度均一性を向上させる。拡散シート７１３は、拡散板７１１によってランダムに拡散された光を一定の拡散角を有する拡散光に変換する。集光シート７１５は、互いに異なる方向、好ましくは互いに垂直をなす方向に拡散光を集光して、ランプ６５０が出射した光の正面輝度を向上させる。
【００６０】
表示装置６００は、ミドルフレームカバー７３０を更に含むことができる。ミドルフレームカバー７３０は、光学シート７１０のエッジをカバーして収納容器６１０と結合する。
【００６１】
表示パネル７５０は、光学シート７１０から出射された光を基に画像を表示する。表示パネル７５０は、第１基板７５１、第１基板７５１と対向する第２基板７５５、及び第１基板７５１と第２基板７５５との間に介在された液晶層を含む。
【００６２】
表示装置６００は、印刷回路基板７５７及び連結フィルム７５８を更に含むことができる。印刷回路基板７５７は、表示パネル７５０にパネル駆動信号を出力する。連結フィルム７５８の一側エッジは、第１基板７５１のエッジに電気的に連結され、連結フィルム７５８の他側エッジは印刷回路基板７５７と電気的に連結される。
【００６３】
表示装置６００は、表示パネル７５０の有効表示領域を露出させ、収納容器６１０又はミドルフレームカバー７３０と結合するトップシャーシ７７０を更に含むことができる。
【００６４】
以上、本発明を実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００６５】
【図１】本発明の一実施例によるランプソケットの斜視図である。
【図２】図１に示したランプソケットの分解斜視図である。
【図３】図２に示したランプソケットの電源印加部材に関する一実施例を示す斜視図である。
【図４】図２に示したランプソケットの電源印加部材に関する他の実施例を示す斜視図である。
【図５】図２に示したランプソケットの電源印加部材に関する一実施例を示す正面図である。
【図６】図２に示したランプソケットの電源印加部材に関する他の実施例を示す正面図である。
【図７】図２に示したランプソケットをＩ−Ｉ’に沿って切断した断面図である。
【図８】本発明の一実施例による電源印加モジュールの斜視図である。
【図９】図８に示した電源印加モジュールの分解斜視図である。
【図１０】図８に示した電源印加モジュールをＩＩ−ＩＩ’に沿って切断した断面図である。
【図１１】本発明の一実施例によるバックライトアセンブリの分解斜視図である。
【図１２】図１１に示したバックライトアセンブリをＩＩＩ−ＩＩＩ’に沿って切断した断面図である。
【図１３】図１１に示したバックライトアセンブリをＩＶ−ＩＶ’に沿って切断した断面図である。
【図１４】本発明の一実施例による表示装置の分解斜視図である。
【図１５】図１４に示した表示装置をＶ−Ｖ’に沿って切断した断面図である。
【符号の説明】
【００６６】
２０、２２０、４２０、６２０    ランプソケット
３０、２３０、４３０、６３０    ソケットハウジング
３１、２３１    インバータ挿入ホール
３５、２３５    接続ホール
３７    ランプガイド溝
３９    キャッチング突起
４０、２４０、４４０、６４０    電源印加部材
４１、２４１    第１ランプ接続端子
４２    第１固定部
４３    第１ガイド部
４４    突起
４５、２４５    第２ランプ接続端子
４６    第２固定部
４７    第２ガイド部
４８、２４８、４４８、６４８    インバータ接続端子
４８ａ    支持部
４８ｂ    電源入力部
４９、２４９    連結部
５０、５０ａ    離脱防止部
６０    挿入ホール
２００    電源印加モジュール
２６０    連結プレート
２６５    ソケット固定部
４００    バックライトアセンブリ
４０５、６０５    底板
４０７、６０７    開口
４０９、６０９    反射板
４１０、６１０    収納容器
４１１、６１１    第１側壁
４１３、６１３    第２側壁
４１５、６１５    第３側壁
４１７、６１７    第４側壁
４５０、６５０    ランプ
４５１、６５１    ランプ本体
４５５、６５５    電極部
４６０、６６０    連結プレート
４７０、６７０    電源供給基板
４７３、６７３    導電配線の一部
４７５、６７５    保護ケース
４８０、６８０    サイドカバー
６００    表示装置
７１０    光学シート
７１１    拡散板
７１３    拡散シート
７１５    集光シート
７３０    ミドルフレームカバー
７５０    表示パネル
７５１    第１基板
７５５    第２基板
７５７    印刷回路基板
７５８    連結フィルム
７７０    トップシャーシ
【図１】
0005412664.tif 000002
【図２】
0005412664.tif 000003
【図３】
0005412664.tif 000004
【図４】
0005412664.tif 000005
【図５】
0005412664.tif 000006
【図６】
0005412664.tif 000007
【図７】
0005412664.tif 000008
【図８】
0005412664.tif 000009
【図９】
0005412664.tif 000010
【図１０】
0005412664.tif 000011
【図１１】
0005412664.tif 000012
【図１２】
0005412664.tif 000013
【図１３】
0005412664.tif 000014
【図１４】
0005412664.tif 000015
【図１５】
0005412664.tif 000016